(57)【特許請求の範囲】
【請求項１】
ネットワーク上の装置における、通信サービスを端末装置に提供する通信ネットワークを決定する方法であって、
前記方法は、モバイル通信コアネットワークにおいて実行され、
リクエストメッセージをネットワーク決定エンティティに送信して、前記端末装置との接続セッションを有する通信ネットワークを決定するステップであり、前記リクエストメッセージが前記端末装置を識別する一意の識別子を含む、ステップと、
前記端末装置が接続セッションを有する複数の通信ネットワークのうちの少なくとも１つの通信ネットワークの指定を含む指定メッセージを前記ネットワーク決定エンティティから受信するステップと、
前記指定された通信ネットワークが前記通信サービスをサポートする場合に、前記指定された通信ネットワークを選択して前記通信サービスを開始するステップと、
を含み、
前記複数の通信ネットワークのうちの少なくとも１つの通信ネットワークが、ロングタームエボリューション無線通信技術に従って構成され、前記複数の通信ネットワークのうちの少なくとも１つの他の通信ネットワークが、５Ｇ無線通信技術に従って構成されており、
前記ネットワーク決定エンティティが、パケットデータネットワークゲートウェイ・コアネットワークエンティティ又はセッション管理機能エンティティを含む、方法。
【請求項２】
サービスリクエストメッセージを受信して、前記端末装置の通信サービスを開始するステップと、
前記サービスリクエストメッセージの受信に際して、前記リクエストメッセージを生成するステップと、
をさらに含む、請求項１に記載の方法。
【請求項３】
前記サービスリクエストメッセージが、インターネットマルチメディアサブシステムエンティティから受信される、請求項２に記載の方法。
【請求項４】
サービス開始メッセージを前記選択した通信ネットワークに送信して、前記端末装置の前記通信サービスを開始するステップをさらに含む、請求項１〜３のいずれか一項に記載の方法。
【請求項５】
統合データ管理エンティティ又はホーム加入者サーバにより実行される、請求項１〜４のいずれか一項に記載の方法。
【請求項６】
前記端末装置を識別する前記一意の識別子が、前記端末装置のインターネットプロトコルアドレスである、請求項１〜５のいずれか一項に記載の方法。
【請求項７】
通信サービスを端末装置に提供する通信ネットワークを決定する、ネットワーク上の装置であって、
前記装置は、モバイル通信コアネットワークの構成要素として構成され、
リクエストメッセージをネットワーク決定エンティティに送信して、前記端末装置との接続セッションを有する通信ネットワークを決定するように構成された送信機であり、前記リクエストメッセージが前記端末装置を識別する一意の識別子を含む、送信機と、
前記端末装置が接続セッションを有する複数の通信ネットワークのうちの少なくとも１つの通信ネットワークの指定を含む指定メッセージを前記ネットワーク決定エンティティから受信するように構成された受信機と、
前記指定された通信ネットワークが前記通信サービスをサポートする場合に、前記指定された通信ネットワークを選択して前記通信サービスを開始するように構成されたプロセッサと、
を備え、
前記複数の通信ネットワークのうちの少なくとも１つの通信ネットワークが、ロングタームエボリューション無線通信技術に従って構成され、前記複数の通信ネットワークのうちの少なくとも１つの他の通信ネットワークが、５Ｇ無線通信技術に従って構成されており、
前記ネットワーク決定エンティティが、パケットデータネットワークゲートウェイ・コアネットワークエンティティ又はセッション管理機能エンティティを含む、装置。
【請求項８】
前記受信機が、サービスリクエストメッセージを受信して、前記端末装置の通信サービスを開始するようにさらに構成されており、
前記プロセッサが、前記サービスリクエストメッセージの受信に際して、前記リクエストメッセージを生成するようにさらに構成された、請求項７に記載の装置。
【請求項９】
前記送信機が、サービス開始メッセージを前記選択された通信ネットワークに送信して、前記端末装置の前記通信サービスを開始するようにさらに構成された、請求項７または８に記載の装置。
【発明の詳細な説明】
【技術分野】
【０００１】
種々実施形態は一般的に、通信サービスを端末通信装置に提供する通信ネットワークを決定する方法及び装置に関する。
【背景技術】
【０００２】
モビリティ管理は、モバイルネットワークが加入者を追跡して、通話、ショートメッセージサービス（ＳＭＳ）、モバイルインターネット、及び他の携帯電話サービスをモバイルユーザに提供可能とするモバイルネットワークの重要な機能である。
【発明の概要】
【０００３】
モビリティ管理がモバイルネットワークにおいて上記のように重要な役割を果たすことを所与として、モバイル機器用のロングタームエボリューション（ＬＴＥ）高速無線通信及び第５世代無線ネットワークシステム（５ＧＳ）ではともに、この問題に取り組んでいる。ＬＴＥにおいては、いわゆるモビリティ管理エンティティ（ＭＭＥ）によってモビリティ管理の大部分が実行される一方、５Ｇにおいては、いわゆるアクセス・モビリティ管理機能（ＡＭＦ）によってモビリティ管理が実現される。
【０００４】
ＬＴＥ無線通信ネットワーク及び５Ｇ無線通信ネットワークを含む複数の無線通信ネットワークに携帯電話等の端末装置（ユーザ装置ＵＥ等）が同時に接続される可能性があることから、ＭＭＥ及びＡＭＦをそれぞれ同期させる必要がある。この問題に対処するため、第３世代パートナーシッププロジェクト（３ＧＰＰ）では、規格ＴＳ  ２３．５０１にてインターフェースＮ２６を規定することにより、ＬＴＥネットワークのＭＭＥを５ＧネットワークのＡＭＦと同期させていた。
【０００５】
種々実施形態においては、通信サービスを端末通信装置に提供する通信ネットワークを決定する方法が提供される。この方法は、リクエストメッセージをネットワーク決定エンティティに送信して、端末装置との接続セッションを有する通信ネットワークを決定するステップであり、リクエストメッセージが端末装置を識別する一意の識別子を含む、ステップと、端末装置が接続セッションを有する複数の通信ネットワークのうちの少なくとも１つの通信ネットワークの指定を含む指定メッセージをネットワーク決定エンティティから受信するステップと、指定された通信ネットワークが通信サービスをサポートする場合に、当該指定された通信ネットワークを選択して通信サービスを開始するステップと、を含んでいてもよい。
【０００６】
図面全体を通して、同一又は同様の要素、特徴、及び構造を示すのに、同じ参照番号が用いられることに留意するものとする。図面は、必ずしも原寸に比例しておらず、代替として一般的には、本開示の態様の図示に重点を置いている。以下の記述においては、以下の図面を参照して、本開示のいくつかの態様を説明する。
【図面の簡単な説明】
【０００７】
【図１】モバイル無線通信ネットワークの一実施形態を示した図である。
【図２】モバイル無線通信ネットワークの一実施形態を示した図である。
【図３】「ＩＭＳボイスオーバーＰＳ」通話を開始するメッセージシーケンスを示した図である。
【図４】モバイル無線通信ネットワークの一実施形態を示した図である。
【図５】「ＩＭＳボイスオーバーＰＳ」通話を開始するメッセージシーケンスを示した図である。
【図６】「ＩＭＳボイスオーバーＰＳ」通話を開始するメッセージシーケンスを示した図である。
【図７】種々実施形態に係る、端末装置の一実施態様を示した図である。
【図８】種々実施形態に係る、ＰＧＷ−Ｃ＋ＳＭＦエンティティの一実施態様を示した図である。
【図９】種々実施形態に係る、ＨＳＳ＋ＵＤＭエンティティの一実施態様を示した図である。
【図１０】種々実施形態に係る、通信サービスを端末通信装置に提供する通信ネットワークを決定する方法を示したフロー図である。
【図１１】種々実施形態に係る、通信サービスを端末通信装置に提供する通信ネットワークを決定する方法を示したフロー図である。
【発明を実施するための形態】
【０００８】
以下の詳細な説明では、本開示を実施可能な具体的詳細及び実施形態を実例として示す添付の図面を参照する。
【０００９】
本明細書においては、「一例、事例、又は実例として機能する」ことを意味するために、単語「例示的な」を使用する。本明細書で「例示的」として説明する如何なる実施形態又は設計も、他の実施形態又は設計より好適又は好都合とは必ずしも解釈されない。
【００１０】
本開示の範囲から逸脱することなく、他の態様を利用可能であるとともに、構造的、論理的、及び電気的変更を行うことができる。本開示の種々態様は、必ずしも相互排他的ではなく、本開示のいくつかの態様を本開示の１つ又は複数の他の態様と組み合わせて、新たな態様を構成することも可能である。
【００１１】
モビリティ管理は、モバイルネットワークが加入者を追跡して、通話、ショートメッセージサービス（ＳＭＳ）、モバイルインターネット、及び他の携帯電話サービスをモバイルユーザに提供可能とするモバイルネットワークの重要な機能である。
【００１２】
モビリティ管理がモバイルネットワークにおいて上記のように重要な役割を果たすことを所与として、モバイル機器用のロングタームエボリューション（ＬＴＥ）高速無線通信及び第５世代無線ネットワークシステム（５ＧＳ）ではともに、この問題に取り組んでいる。ＬＴＥにおいては、いわゆるモビリティ管理エンティティ（ＭＭＥ）によってモビリティ管理の大部分が実行される一方、５Ｇにおいては、いわゆるアクセス・モビリティ管理機能（ＡＭＦ）によってモビリティ管理が実現される。
【００１３】
ＬＴＥ無線通信ネットワーク及び５Ｇ無線通信ネットワークを含む複数の無線通信ネットワークに携帯電話等の端末装置（ユーザ装置ＵＥ等）が同時に接続される可能性があることから、ＭＭＥ及びＡＭＦをそれぞれ同期させる必要がある。この問題に対処するため、第３世代パートナーシッププロジェクト（３ＧＰＰ）では、規格ＴＳ  ２３．５０１にてインターフェースＮ２６を規定することにより、ＬＴＥネットワークのＭＭＥを５ＧネットワークのＡＭＦと同期させていた。
【００１４】
図１は、ＬＴＥ無線通信ネットワーク及び５ＧＳ無線通信ネットワークの両者を含み得るモバイル無線通信ネットワーク１００の一実施形態を示している。図１において、点線１０３は、２つのシステム間の仮想的な分離を示しており、説明上の理由で導入しているに過ぎない。線１０３の上側のすべての構成要素は、ＬＴＥシステムの例示的な構成要素であり、線１０３の下側のすべての構成要素は、５ＧＳシステムの例示的な構成要素であり、線１０３と一致するすべての構成要素は、両システムにおいて設け得る例示的な構成要素である。
【００１５】
２つのシステムで共有可能な構成要素には、モバイル顧客の携帯電話等のユーザ装置が考えられるものの、コネクテッドカーのモバイルネットワーク接続モジュール、ロボットのモバイル接続モジュール、特定環境においていくつかの値をモニタリングするセンサのモバイルネットワーク接続モジュール、又はスマートホーム、スマートビルディング、若しくはスマートスペースのコントローラ等、別の種類の装置も考えられる端末装置（ＵＥ）１０２を含んでいてもよい。ネットワーク決定エンティティ（ＰＧＷ−Ｃ＋ＳＭＦ）１１６は、パケットデータネットワークゲートウェイ（ＰＧＷ）及びセッション管理機能（ＳＭＦ）の組み合わせを含んでいてもよく、また、ＬＴＥ及び５ＧＳの両者においてネットワーク決定サービスを提供するように構成されていてもよい。ネットワークコンポーネント（ＨＳＳ／ＵＤＭ）１１８は、ホーム加入者サーバ（ＨＳＳ）及び統合データ管理（ＵＤＭ）の組み合わせであってもよく、また、両無線通信（コア）ネットワークにおいて作用するように構成されていてもよい。また最後に、１つ又は複数のインターネットプロトコルマルチメディアサブシステム（ＩＭＳ）１２０を具備していてもよい。
【００１６】
また、ＬＴＥの構成要素としては、発展型地上無線アクセス（Ｅ−ＵＴＲＡＮ）１０４、サービングゲートウェイ（ＳＧＷ）１０８、及びモビリティ管理エンティティ（ＭＭＥ）１１０が挙げられる。
【００１７】
また、５ＧＳの構成要素としては、第５世代無線アクセスネットワーク（５Ｇ−ＲＡＮ）１０６、ユーザプレーン機能（ＵＰＦ）１１２、及びコアアクセス・モビリティ管理機能（ＡＭＦ）１１４が挙げられる。
【００１８】
図１において、Ｎ２６と標識されたコネクタ１４０は、規格３ＧＰＰ  ＴＳ  ２３．５０１にて規定されたＬＴＥ  ＭＭＥと５ＧＳ  ＡＭＦとの間のインターフェースを表す。
【００１９】
図１は、Ｅ−ＵＴＲＡＮ１０４をＳＧＷ１０８に接続するコネクタ１４２、ＰＧＷ−Ｃ＋ＳＭＦ１１６をＳＧＷ１０８に接続するコネクタ１４４、Ｅ−ＵＴＲＡＮ１０４をＭＭＥ１１０に接続するコネクタ１４６、５Ｇ−ＲＡＮをＵＰＦに接続するコネクタ１４８、ＰＧＷ−Ｃ＋ＳＭＦ１１６をＡＭＦ１１４に接続するコネクタ１５０等の他のコネクタをさらに示している。
【００２０】
また、図１は、２つの接続セッション（通信接続又は通信セッションとも称する場合がある）を示している。第１の接続セッションは、ＵＥ１０２をＩＭＳ１２０に接続するインターネットプロトコルマルチメディアサブシステムパケットデータネットワーク接続（ＩＭＳ  ＰＤＮ接続）１２８である。点線１２６は、ＩＭＳ  ＰＤＮ接続１２８が含み得るネットワーク構成要素の例示である。第２の接続セッションは、５ＧＳ構成要素を介してＵＥ１０２をインターネット１２２に接続するインターネットパケットデータユニットセッション（インターネットＰＤＵセッション）１３０である。点線１２４は、インターネットＰＤＵセッション１２４に含まれ得る構成要素を模式的に示している。
【００２１】
インターフェースＮ２６が存在しない無線通信ネットワークにおいては、サービス不具合等の問題に至る無線通信ネットワーク間、特にＬＴＥと５ＧＳとの間の同期が失われる有限の可能性がある。
【００２２】
図２は、ＬＴＥ無線通信ネットワーク及び５ＧＳ無線通信ネットワークの両者を含み得るものの、インターフェースＮ２６が存在しないモバイル無線通信ネットワーク２００の一実施形態を示している。
【００２３】
このようなモバイル無線通信ネットワークにおいて、ＩＭＳ１２０がＵＥ１０２に対する「ＩＭＳボイスオーバーＰＳ」通話を開始しようとした場合は、ＩＭＳが３ＧＰＰ規格ＴＳ  ２３．５０１「Ｔｅｒｍｉｎａｔｉｎｇ  ｄｏｍａｉｎ  ｓｅｌｅｃｔｉｏｎ  ｆｏｒ  ＩＭＳ  ｖｏｉｃｅ」に従う。
【００２４】
図３は、３ＧＰＰ規格ＴＳ  ２３．５０１「Ｔｅｒｍｉｎａｔｉｎｇ  ｄｏｍａｉｎ  ｓｅｌｅｃｔｉｏｎ  ｆｏｒ  ＩＭＳ  ｖｏｉｃｅ」に従うモバイル無線通信ネットワーク２００等のモバイル無線通信ネットワークにおいて、ＵＥ１０２に対する「ＩＭＳボイスオーバーＰＳ」通話を開始するメッセージシーケンス３００が動作し得る様子を示している。
【００２５】
３０２において、ＩＭＳ１２０は、３ＧＰＰ規格ＴＳ  ２９．３２８にて規定されたインターフェースＳｈに従って規定され得る終端アクセスドメイン選択（Ｔ−ＡＤＳ）問合せを、コネクタ２０２を通じて、ＨＳＳ／ＵＤＭ１１８に発行して、現在登録されている無線アクセスにおける「ＩＭＳボイスオーバーＰＳ」通話のサポートを依頼する。
【００２６】
３０４において、Ｔ−ＡＤＳ問合せを受信したら、ＨＳＳ／ＵＤＭ１１８は、コネクタ２０４を通じてＴ−ＡＤＳ問合せをＭＭＥ１１０に発行し、３０６において、ＨＳＳ／ＵＤＭ１１８は、コネクタ２０６を通じてＴ−ＡＤＳ問合せをＡＭＦ１１４に発行する。
【００２７】
Ｔ−ＡＤＳ問合せ３０４及び３０６は、同時に実行されるようになっていてもよい。
【００２８】
ＡＭＦ１１４及びＭＭＥ１１０は、ＵＥ１０２の現在登録エリアに基づいて、独立且つ非同期でサポートを報告する。このようなレポートには、最終無線交信のタイムスタンプ及び無線アクセス技術（ＲＡＴ）の種類を含んでいてもよい。構成要素ＨＳＳ／ＵＤＭ１１８へのＭＭＥ１１０レポートは、３１４において送信される一方、構成要素ＨＳＳ／ＵＤＭ１１８へのＡＭＦ１１４レポートは、３１６において送信される。
【００２９】
ＬＴＥ側の点線１２６により例示されるアクティブ接続としてＵＥ１０２がＩＭＳ  ＰＤＮ接続１２８を有するため、ＭＭＥ１１０は、接続１２８に関する情報を報告することになる。さらに、点線１２４により例示されるアクティブなインターネットＰＤＵセッション１３０をＵＥ１０２が有するため、ＡＭＦ１１４は、インターネットＰＤＵセッション１３０に関する情報を報告することになる。
【００３０】
３２０において、構成要素ＨＳＳ／ＵＤＭ１１８は、ＩＭＳ１２０に報告するＲＡＴを選択する。
【００３１】
３１４において送信されたＭＭＥ１１０レポートのタイムスタンプが、３１６において送信されたＡＭＦ１１４レポートのタイムスタンプにより表される時間の後の時間を示す場合、ＵＥ１０２が最新では、「ＩＭＳボイスオーバーＰＳ」をサポートするＩＭＳ  ＰＤＮ接続１２８と無線交信していたことになるため、構成要素ＨＳＳ／ＵＤＭ１１８は、通話プロセスを継続できるように、見つかったＲＡＴをＩＭＳ１２０に報告する。
【００３２】
この代替として、３１４において送信されたＭＭＥ１１０レポートのタイムスタンプが、３１６において送信されたＡＭＦ１１４レポートのタイムスタンプにより表される時間の前の時間を示す場合、ＵＥ１０２が最新では、「ＩＭＳボイスオーバーＰＳ」をサポートしないインターネットＰＤＵセッション１３０と無線交信していたことになるため、Ｔ−ＡＤＳレポートは、「ＩＭＳボイスオーバーＰＳ」をサポートするＲＡＴ下にＵＥ１０２がないことを誤って報告することになり、既存のＩＭＳ  ＰＤＮ接続１２８上で通話が可能であったとしても通話ができなくなる。
【００３３】
図４は、モバイル無線通信ネットワーク４００において、ネットワーク決定エンティティにより上述の同期問題に対処し得る様子を示している。
【００３４】
図４において、コネクタ４０２は、３ＧＰＰ規格ＴＳ  ２３．５０２に規定されたＩＭＳ  ＰＤＵセッションの探索クエリであるインターフェースＮ１０を実装する。このインターフェースＮ１０を通じて、ＨＳＳ／ＵＤＭ１１８は、ＩＭＳ接続セッションが存在する通信ネットワークを探索することができる。ＵＥ１０２が複数のＩＭＳセッションに接続された、いくつかの実施形態において、ＰＧＷ−Ｃ＋ＳＭＦ１１６は、ＩＭＳセッションのＩＰアドレスを用いた照合を実行して、複数のＩＭＳセッションのうちの１つだけを選択するようにしてもよい。
【００３５】
図５は、コネクタ４０２上のインターフェースＮ１０を利用することにより、モバイル無線通信ネットワーク４００等のモバイル無線通信ネットワークにおいて、ＵＥ１０２に対する「ＩＭＳボイスオーバーＰＳ」通話を開始するメッセージシーケンス５００が動作し得る様子を示している。
【００３６】
５０２において、ＩＭＳ１２０は、３ＧＰＰ規格ＴＳ  ２９．３２８にて規定されたインターフェースＳｈに従って規定され得るＴ−ＡＤＳ問合せを、コネクタ２０２を通じて、ＨＳＳ／ＵＤＭ１１８に発行して、現在登録されている無線アクセスにおける「ＩＭＳボイスオーバーＰＳ」通話のサポートを依頼する。また、この接続のいくつかの実施形態において、ＩＭＳ１２０は、ＵＥ１０２のＩＭＳ通信サービスのインターネットプロトコルアドレスを提供するようにしてもよい。
【００３７】
５０４において、構成要素ＨＳＳ／ＵＤＭ１１８は、例えばＳＭＦ  ＩＤとＤＮＮとの間の局所的な結合テーブル（例えば、３ＧＰＰ  ＴＳ  ２３．４０１文書に規定のＨＳＳ／ＵＤＭに格納されたＵＥ加入プロフィール）を尋ねることにより、ＰＧＷ−Ｃ＋ＳＭＦ１１６に問い合わせを行う。
【００３８】
５０６において、ＰＧＷ−Ｃ＋ＳＭＦ１１６は、ＩＭＳ  ＰＤＵセッション／ＰＤＮ接続の現在のシステムで応答する。このような応答には、メッセージを含んでいてもよく、ＩＭＳ  ＰＤＵセッション／ＰＤＮ接続を与える現在の通信ネットワークとして５Ｇ通信ネットワークを示す値「５Ｇコア」（５ＧＣ）又はＩＭＳ  ＰＤＵセッション／ＰＤＮ接続を与える現在の通信ネットワークとしてＬＴＥ通信ネットワークを示す値「発展型パケットコア」（ＥＰＣ）が挙げられる。応答が５ＧＳを示す場合、ＵＤＭ１１８は、ＡＭＦ１１４でＴ−ＡＤＳ問合せを実行する。
【００３９】
５０６の応答がＥＰＣを示す場合、ＨＳＳ／ＵＤＭ１１８は、Ｔ−ＡＤＳ問合せ５１２をＭＭＥ１１０に発行し、ＩＭＳボイスサポート、ＲＡＴ、及びＵＥとの最新の無線交信を示すタイムスタンプを含み得る応答メッセージ５１４を受信するプロトコル５１０を実行するようにしてもよい。
【００４０】
この代替として、５０６の応答メッセージが５ＧＣを示す場合、構成要素ＨＳＳ／ＵＤＭ１１８は、Ｔ−ＡＤＳ問合せ５２２をＡＭＦ１１４に発行し、ＩＭＳボイスサポート、ＲＡＴ、及びＵＥとの最新の無線交信を示すタイムスタンプを特定する応答メッセージ５２４を受信するプロトコル５２０を実行するようにしてもよい。
【００４１】
複数のＩＭＳ  ＰＤＮ接続又は複数のＩＭＳ  ＰＤＵセッションが見つかった場合は、プロセス５０４が実行されるようになっていてもよい。この場合、ＨＳＳ／ＵＤＭ１１８は、複数のＩＭＳ  ＰＤＮ接続又は複数のＩＭＳ  ＰＤＵセッションのうち、ＩＭＳ１２０に関連するＩＭＳ  ＰＤＮ接続又はＩＭＳ  ＰＤＵセッションを選択することをＰＧＷ−Ｃ＋ＳＭＦ１１６に要求するようにしてもよい。
【００４２】
ＰＧＷ−Ｃ＋ＳＭＦ１１６は、ＵＥに対する複数のＩＭＳ  ＰＤＮ接続又は複数のＩＭＳ  ＰＤＵセッションにおいて、ＩＭＳ通信サービスのＩＰアドレスのＩＭＳコンポーネントのＩＰアドレスとの照合を実行するようにしてもよい。
【００４３】
ＩＭＳ１２０に関して一致するＩＭＳ  ＰＤＮ接続又はＩＭＳ  ＰＤＵセッションが見つかった場合は、５０６において戻される。見つからなかった場合は、５０６において不具合信号が戻される。
【００４４】
５０８においては、ＵＥのＩＭＳ  ＰＤＵセッション又はＰＤＮ接続がＩＭＳ１２０に接続される最新のＲＡＴにおけるＩＭＳボイスサポートが報告されるか、又は、このようなＲＡＴが見つからなかった場合は、不具合信号が報告される。
【００４５】
通信５０８を所与として、ＩＭＳ１２０は、「ＩＭＳボイスオーバーＰＳ」通話を実行する無線通信ネットワークに関する情報を有する。そのような無線通信ネットワークが存在しない場合、ＩＭＳ１２０は、通話が不可能である旨の情報を有する。
【００４６】
図６は、インターフェースＮ２６が有効となっていないモバイル無線通信ネットワーク４００において実行されるＵＥ１０２に対する「ＩＭＳボイスオーバーＰＳ」通話を開始するメッセージシーケンス６００を示している。シーケンス６００は、メッセージシーケンス３００の変形例であるが、図３に示すシーケンス３００とは対照的に、上述の同期化問題を回避する。さらに、メッセージシーケンス６００は、コネクタ４０２を利用しない図５に示すメッセージシーケンス５００の代替案である。
【００４７】
６３２において、ＩＭＳ１２０は、３ＧＰＰ規格ＴＳ  ２９．３２８にて規定されたインターフェースＳｈに従って規定され得るＴ−ＡＤＳ問合せを、コネクタ２０２を通じて、ＨＳＳ／ＵＤＭ１１８に発行して、現在登録されている無線アクセスにおける「ＩＭＳボイスオーバーＰＳ」通話のサポートを依頼する。また、この接続のいくつかの実施形態において、ＩＭＳ１２０は、ＵＥ１０２の通信サービスのインターネットプロトコルアドレスを提供するようにしてもよい。
【００４８】
ＩＭＳ１２０からＴ−ＡＤＳ問合せ６３２を受信したら、ＨＳＳ／ＵＤＭ１１８は、Ｔ−ＡＤＳ問合せ６３４をＭＭＥ１１０に発行し、Ｔ−ＡＤＳ問合せ６３６をＡＭＦ１１４に発行する。
【００４９】
ＨＳＳ／ＵＤＭ１１８からＴ−ＡＤＳ問合せを受信したら、ＡＭＦ１１４は、ＰＧＷ−Ｃ＋ＳＭＦ１１６と「ＩＭＳ」ＤＮＮのＤＮＮとの結合を調べる。
【００５０】
６０２において、結合が見つかったら、ＡＭＦ１１４は、問合せを対応するＰＧＷ−Ｃ＋ＳＭＦ１１６に送信する。
【００５１】
いくつかの実施形態において、ネットワーク２００は、ＰＧＷ−Ｃ＋ＳＭＦ１１６の複数の実施形態を含んでいてもよく、この場合、ＡＭＦ１１４は、これらすべてに問合せを送信するようにしてもよい。
【００５２】
通信６０２を受信したら、ＰＧＷ−Ｃ＋ＳＭＦ１１６は、１つ又は複数の「アクティブ」なＩＭＳ  ＰＤＵセッションを読み出すようにしてもよい。
【００５３】
各ＩＭＳ  ＰＤＵセッションについて、ＩＭＳ  ＰＤＵセッション／ＰＤＮ接続が現在、５ＧＣを使用している場合、ＳＭＦ／ＰＧＷ−Ｃは、ＩＭＳ  ＰＤＵセッションの現在のＲＡＴの指定を含むメッセージで応答するようにしてもよい。現在のＲＡＴの例としては、５Ｇ−Ｎｅｗ  Ｒａｄｉｏ（５Ｇ−ＮＲ）又はＥ−ＵＴＲＡが挙げられる。また、ＳＭＦ／ＰＧＷ−Ｃ１１６は、ＰＤＵセッションがこのＲＡＴ／システムに移ったタイミングを示すタイムスタンプを含んでいてもよい。ＳＭＦ／ＰＧＷ−Ｃは、応答メッセージに対するＰＤＵセッションのＩＰアドレスを含む。それ以外の場合、ＳＭＦ／ＰＧＷ−Ｃは、「不在」指定を含むメッセージで応答するようにしてもよい。
【００５４】
構成要素ＰＧＷ−Ｃ＋ＳＭＦ１１６がＩＭＳ  ＰＤＵセッション／ＰＤＮ接続を一切見つけていない場合は、応答メッセージ６０４に「不在」指定を含むメッセージで応答することになる。
【００５５】
応答メッセージ６０４を受信したら、ＡＭＦ１１４は、ＩＭＳ  ＰＤＵセッションの現在のシステムが５ＧＣであることを応答メッセージが示すかを判定する。また、ＡＭＦは、３ＧＰＰ規格ＴＳ  ２３．５０１に記載の通り、「サポート」又は「非サポート」信号を発行する機能「ＩＭＳボイスオーバーＰＳ」を当該接続がサポートするかを示すことによって、メッセージ６０６でＴ−ＡＤＳ問合せ６３６に応答するようにしてもよい。６０４において送信されたメッセージで発行されたタイムスタンプは、応答メッセージ６０６にも含まれていてもよい。また、ＰＤＵセッションのＩＰアドレスは、応答メッセージ６０６にも含まれていてもよい。
【００５６】
構成要素ＰＧＷ−Ｃ＋ＳＭＦ１１６からの応答が「不在」を示す場合、ＡＭＦ１１４は、ＨＳＳ／ＵＤＭ１１８への応答メッセージ６０６において、「ＩＭＳボイスオーバーＰＳ」を「非サポート」に設定することにより、ＡＭＦ１１４が把握する如何なるＲＡＴでも「ＩＭＳボイスオーバーＰＳ」を実行できないことを示すようにしてもよい。
【００５７】
ＨＳＳ／ＵＤＭ１１８からＴ−ＡＤＳ問合せを受信したら、ＭＭＥ１１０は、ＰＧＷ−Ｃ＋ＳＭＦ１１６と「ＩＭＳ」ＤＮＮのＤＮＮとの結合を調べる。
【００５８】
６１２において、結合が見つかったら、ＭＭＥ１１０は、問合せメッセージを対応するＰＧＷ−Ｃ＋ＳＭＦ１１６に送信する。
【００５９】
いくつかの実施形態において、モバイル無線通信ネットワーク２００は、ＰＧＷ−Ｃ＋ＳＭＦ１１６の複数の実施形態を含んでいてもよく、この場合、ＡＭＦ１１４は、これらすべてに問合せメッセージを送信するようにしてもよい。
【００６０】
接続を受信したら、ＰＧＷ−Ｃ＋ＳＭＦ１１６は、１つ又は複数のＩＭＳ  ＰＤＮ接続を読み出すようにしてもよい。
【００６１】
各ＩＭＳ  ＰＤＮ接続について、ＩＭＳ  ＰＤＵセッション／ＰＤＮ接続が現在、ＬＴＥを使用している場合、ＳＭＦ／ＰＧＷ−Ｃは、ＩＭＳ  ＰＤＵセッションの現在のＲＡＴを含むメッセージで応答する。現在のＲＡＴの例としては、５Ｇ−ＮＲ又はＥ−ＵＴＲＡが挙げられる。また、ＳＭＦ／ＰＧＷ−Ｃ１１６は、ＰＤＮ接続がこのＲＡＴ／システムに移ったタイミングを示すタイムスタンプを含んでいてもよい。ＳＭＦ／ＰＧＷ−Ｃ１１６は、応答に対するＰＤＵセッションのＩＰアドレスを含む。それ以外の場合、ＳＭＦ／ＰＧＷ−Ｃ１１６は、「不在」指定で応答する。
【００６２】
いくつかの実施形態においては、構成要素ＰＧＷ−Ｃ＋ＳＭＦ１１６がＩＭＳ１２０のＲＡＴを一切見つけない場合があるため、応答６１４の「不在」指定で応答することになる。
【００６３】
応答６１４を受信したら、ＭＭＥ１１０は、ＩＭＳ  ＰＤＵセッションの現在のシステムが５ＧＣであることを応答が示すかを判定する。また、ＭＭＥ１１０は、３ＧＰＰ規格ＴＳ  ２３．５０１に記載の通り、「サポート」又は「非サポート」信号を発行する機能「ＩＭＳボイスオーバーＰＳ」を当該接続がサポートするかを示すことによって、メッセージ６１６でＴ−ＡＤＳ問合せ３０６に応答するようにしてもよい。６０４において発行されたタイムスタンプは、応答メッセージ６０６にも含まれていてもよい。また、ＰＤＵセッションのＩＰアドレスは、応答メッセージ６０６にも含まれていてもよい。
【００６４】
構成要素ＰＧＷ−Ｃ＋ＳＭＦ１１６からの応答メッセージが「不在」を示す場合、ＭＭＥ１１０は、ＨＳＳ／ＵＤＭ１１８への応答メッセージ６１６において、「ＩＭＳボイスオーバーＰＳ」を「非サポート」に設定するようにしてもよい。
【００６５】
いくつかの実施形態において、ＭＭＥ１１０は、ＰＧＷ−Ｃ＋ＳＭＦ１１６に問い合わせず、ＩＭＳ  ＰＤＮ接続の現在のＲＡＴ及びタイムスタンプを局所的すなわちＭＭＥ１１０自体に格納するようにしてもよい。
【００６６】
６２０において、構成要素ＨＳＳ／ＵＤＭ１１８は、応答中のＩＰアドレスをＩＭＳ１２０登録中のＩＰアドレスと比較するようにしてもよく、これに基づいて、正しい応答を選択する。
【００６７】
６２０のいくつかの実施形態において、構成要素ＨＳＳ／ＵＤＭ１１８は、選択にＰＧＷ−Ｃ＋ＳＭＦ１１６を含めるようにしてもよい。
【００６８】
６２０において、ＭＭＥ１１０からの応答メッセージ１６１が「非サポート」を示す場合、構成要素ＨＳＳ／ＵＤＭ１１８は、６３８において、不具合メッセージで応答するようにしてもよい。
【００６９】
６３８における通信を所与として、ＩＭＳ１２０は、「ＩＭＳボイスオーバーＰＳ」通話を実行する無線通信ネットワークに関する情報を有する。そのような無線通信ネットワークが存在しない場合、ＩＭＳ１２０は、通話が不可能である旨の情報を有する。
【００７０】
図７は、ＬＴＥ無線通信ネットワーク及び５ＧＳ無線通信ネットワークから通信を受信するように構成された受信機７０２を含み得るＵＥ１０２を示している。
【００７１】
ＵＥ１０２は、受信機７０２に結合され、ＬＴＥ及び５ＧＳ等の無線通信ネットワークが要求する機能を実行するように構成されたプロセッサ７０４をさらに具備していてもよい。また、プロセッサ７０４は、例えば上述の通り、「ＩＭＳボイスオーバーＰＳ」通信を確立するのに必要な機能を実行するように構成されていてもよい。
【００７２】
ＵＥ１０２は、プロセッサ７０４に結合され、ＬＴＥ無線通信ネットワーク及び５ＧＳ無線通信ネットワークからの通信を送信するように構成された送信機７０６をさらに具備していてもよい。
【００７３】
図８は、ＬＴＥ無線通信ネットワーク及び５ＧＳ無線通信ネットワークから通信を受信するように構成された受信機８０２を含み得るＰＧＷ−Ｃ＋ＳＭＦエンティティ８００の一実施態様を示している。
【００７４】
ＰＧＷ−Ｃ＋ＳＭＦエンティティ８００は、受信機８０２に結合され、少なくともＬＴＥ無線通信ネットワークのＰＧＷ−Ｃ機能及び５ＧＳ無線通信ネットワークのＳＭＦ機能を実行するように構成されたプロセッサ８０４をさらに具備していてもよい。
【００７５】
ＰＧＷ−Ｃ＋ＳＭＦエンティティ８００は、プロセッサ８０４に結合され、ＬＴＥ無線通信ネットワーク及び５ＧＳ無線通信ネットワークからの通信を送信するように構成された送信機８０６をさらに具備していてもよい。
【００７６】
図９は、ＬＴＥ無線通信ネットワーク及び５ＧＳ無線通信ネットワークから通信を受信するように構成された受信機９０２を含み得るＨＳＳ＋ＵＤＭエンティティ９００の一実施態様を示している。
【００７７】
ＨＳＳ＋ＵＤＭエンティティ９００は、受信機９０２に結合され、少なくともＬＴＥ無線通信ネットワーク及び５ＧＳ無線通信ネットワークのＨＳＳ及びＵＤＭ機能を実行するように構成されたプロセッサ９０４をさらに具備していてもよい。これらの機能は、ＰＧＷ−Ｃ＋ＳＭＦ１１６、ＭＭＥ１１０、及びＡＭＦ１１４との通信により、ＵＥ１０２がアクティブとなっているアクティブな通信セッションに関する情報を読み出すことを含んでいてもよい。
【００７８】
ＨＳＳ＋ＵＤＭエンティティ９００は、プロセッサ９０４に結合され、ＵＥ１０２に関する情報を格納するように構成されたメモリ９０６をさらに具備していてもよい。
【００７９】
ＨＳＳ＋ＵＤＭエンティティ９００は、プロセッサ９０４に結合され、ＬＴＥ無線通信ネットワーク及び５ＧＳ無線通信ネットワークからの通信を送信するように構成された送信機９０８をさらに具備していてもよい。
【００８０】
図１０は、通信サービスを端末通信装置に提供する通信ネットワークを決定する方法を示したフロー図１０００である。
【００８１】
この方法は、１００２において、リクエストメッセージをネットワーク決定エンティティに送信して、端末装置との接続セッションを有する通信ネットワークを決定するステップであり、リクエストメッセージが端末装置を識別する一意の識別子を含む、ステップと、１００４において、端末装置が接続セッションを有する複数の通信ネットワークのうちの少なくとも１つの通信ネットワークの指定を含む指定メッセージをネットワーク決定エンティティから受信するステップと、１００６において、指定された通信ネットワークが通信サービスをサポートする場合に、当該指定された通信ネットワークを選択して通信サービスを開始するステップと、を含んでいてもよい。
【００８２】
図１１は、種々実施形態に係る、通信サービスを端末通信装置に提供する通信ネットワークを決定する方法を示したフロー図１１００である。
【００８３】
この方法は、１１０２において、リクエストメッセージを受信して、端末装置との接続セッションを有する通信ネットワークを決定するステップであり、リクエストメッセージが端末装置を識別する一意の識別子を含む、ステップと、１１０４において、受信した一意の識別子を用いることにより、端末装置が接続セッションを有する複数の通信ネットワークのうちの少なくとも１つの通信ネットワークを決定するステップと、１１０６において、端末装置が接続セッションを有する上記決定した少なくとも１つの通信ネットワークの指定を含む指定メッセージを送信して通信サービスを選択するステップと、を含んでいてもよい。
【００８４】
実施例１は、通信サービスを端末通信装置に提供する通信ネットワークを決定する方法である。この方法は、リクエストメッセージをネットワーク決定エンティティに送信して、端末装置との接続セッションを有する通信ネットワークを決定するステップであり、リクエストメッセージが端末装置を識別する一意の識別子を含む、ステップと、端末装置が接続セッションを有する複数の通信ネットワークのうちの少なくとも１つの通信ネットワークの指定を含む指定メッセージをネットワーク決定エンティティから受信するステップと、指定された通信ネットワークが通信サービスをサポートする場合に、当該指定された通信ネットワークを選択して通信サービスを開始するステップと、を含んでいてもよい。
【００８５】
実施例２において、実施例１に記載の主題は任意選択として、この方法が、モバイル通信コアネットワークにおいて実行されることを含み得る。
【００８６】
実施例３において、実施例１又は２に記載の主題は任意選択として、複数の通信ネットワークのうちの少なくとも１つの通信ネットワークが、ロングタームエボリューション無線通信技術に従って構成され、複数の通信ネットワークのうちの少なくとも１つの他の通信ネットワークが、５Ｇ無線通信技術に従って構成されたことを含み得る。
【００８７】
実施例４において、実施例１〜３のいずれか１つに記載の主題は任意選択として、この方法が、サービスリクエストメッセージを受信して、端末装置の通信サービスを開始するステップと、サービスリクエストメッセージの受信に際して、リクエストメッセージを生成するステップとをさらに含むことを含み得る。
【００８８】
実施例５において、実施例４に記載の主題は任意選択として、サービスリクエストメッセージが、インターネットマルチメディアサブシステムエンティティから受信されることを含み得る。
【００８９】
実施例６において、実施例１〜５のいずれか１つに記載の主題は任意選択として、この方法が、サービス開始メッセージを選択した通信ネットワークに送信して、端末装置の通信サービスを開始するステップをさらに含むことを含み得る。
【００９０】
実施例７において、実施例１〜６のいずれか１つに記載の主題は任意選択として、この方法が、統合データ管理エンティティ又はホーム加入者サーバにより実行されることを含み得る。
【００９１】
実施例８において、実施例１〜７のいずれか１つに記載の主題は任意選択として、ネットワーク決定エンティティが、パケットデータネットワークゲートウェイ・コアネットワークエンティティ又はセッション管理機能エンティティを含むことを含み得る。
【００９２】
実施例９において、実施例１〜８のいずれか１つに記載の主題は任意選択として、端末装置を識別する一意の識別子が、端末装置のインターネットプロトコルアドレスであることを含み得る。
【００９３】
実施例１０において、実施例１〜９のいずれか１つに記載の主題は任意選択として、通信サービスが、ボイスオーバーインターネットプロトコル通信サービスを含むことを含み得る。
【００９４】
実施例１１は、通信サービスを端末通信装置に提供する通信ネットワークを決定する方法である。この方法は、リクエストメッセージを受信して、端末装置との接続セッションを有する通信ネットワークを決定するステップであり、リクエストメッセージが端末装置を識別する一意の識別子を含む、ステップと、受信した一意の識別子を用いることにより、端末装置が接続セッションを有する複数の通信ネットワークのうちの少なくとも１つの通信ネットワークを決定するステップと、端末装置が接続セッションを有する上記決定した少なくとも１つの通信ネットワークの指定を含む指定メッセージを送信して通信サービスを選択するステップと、を含んでいてもよい。
【００９５】
実施例１２において、実施例１１に記載の主題は任意選択として、少なくとも１つの通信ネットワークを決定するステップが、端末装置が第１の通信ネットワークにおいて接続セッションを有するかを要求する第１の決定リクエストメッセージを複数の通信ネットワークのうちの第１の通信ネットワークのコアネットワークエンティティに送信することであり、第１の決定リクエストメッセージが、端末装置の一意の識別子を含む、ことと、端末装置が第２の通信ネットワークにおいて接続セッションを有するかを要求する第２の決定リクエストメッセージを複数の通信ネットワークのうちの第２の通信ネットワークのコアネットワークエンティティに送信することであり、第２の決定リクエストメッセージが、端末装置の一意の識別子を含む、ことと、を含むことを含み得る。
【００９６】
実施例１３において、実施例１２に記載の主題は任意選択として、少なくとも１つの通信ネットワークを決定するステップが、端末装置が第１の通信ネットワークにおいて接続セッションを有するかを示す第１の決定応答メッセージを第１の通信ネットワークのコアネットワークエンティティから受信することと、端末装置が第２の通信ネットワークにおいて接続セッションを有するかを示す第２の決定応答メッセージを第２の通信ネットワークのコアネットワークエンティティから受信することと、を含むことを含み得る。
【００９７】
実施例１４において、実施例１０〜１３のいずれか１つに記載の主題は任意選択として、この方法が、モバイル通信コアネットワークにおいて実行されることを含み得る。
【００９８】
実施例１５において、実施例１０〜１４のいずれか１つに記載の主題は任意選択として、複数の通信ネットワークのうちの少なくとも１つの通信ネットワークが、ロングタームエボリューション無線通信技術に従って構成され、複数の通信ネットワークのうちの少なくとも１つの他の通信ネットワークが、５Ｇ無線通信技術に従って構成されたことを含み得る。
【００９９】
実施例１６において、実施例１０〜１５のいずれか１つに記載の主題は任意選択として、接続セッションが、インターネットマルチメディアサブシステムパケットデータネットワーク接続であることを含み得る。
【０１００】
実施例１７において、実施例１０〜１６のいずれか１つに記載の主題は任意選択として、この方法が、パケットデータネットワークゲートウェイ・コアネットワークエンティティ又はセッション管理機能エンティティにより実行されることを含み得る。
【０１０１】
実施例１８において、実施例１０〜１７のいずれか１つに記載の主題は任意選択として、端末装置を識別する一意の識別子が、端末装置のインターネットプロトコルアドレスであることを含み得る。
【０１０２】
実施例１９において、実施例１０〜１８のいずれか１つに記載の主題は任意選択として、通信サービスが、ボイスオーバーインターネットプロトコル通信サービスを含むことを含み得る。
【０１０３】
実施例２０は、通信サービスを端末通信装置に提供する通信ネットワークを決定する装置である。この装置は、リクエストメッセージをネットワーク決定エンティティに送信して、端末装置との接続セッションを有する通信ネットワークを決定するように構成された送信機であり、リクエストメッセージが端末装置を識別する一意の識別子を含む、送信機と、端末装置が接続セッションを有する複数の通信ネットワークのうちの少なくとも１つの通信ネットワークの指定を含む指定メッセージをネットワーク決定エンティティから受信するように構成された受信機と、指定された通信ネットワークが通信サービスをサポートする場合に、当該指定された通信ネットワークを選択して通信サービスを開始するように構成されたプロセッサと、を備えていてもよい。
【０１０４】
実施例２１において、実施例２０に記載の主題は任意選択として、この装置が、モバイル通信コアネットワークの構成要素として構成されたことを含み得る。
【０１０５】
実施例２２において、実施例２０又は２１に記載の主題は任意選択として、複数の通信ネットワークのうちの少なくとも１つの通信ネットワークが、ロングタームエボリューション無線通信技術に従って構成され、複数の通信ネットワークのうちの少なくとも１つの他の通信ネットワークが、５Ｇ無線通信技術に従って構成されたことを含み得る。
【０１０６】
実施例２３において、実施例２０〜２２のいずれか１つに記載の主題は任意選択として、受信機が、サービスリクエストメッセージを受信して、端末装置の通信サービスを開始するようにさらに構成されており、プロセッサが、サービスリクエストメッセージの受信に際して、リクエストメッセージを生成するようにさらに構成されたことを含み得る。
【０１０７】
実施例２４において、実施例２３に記載の主題は任意選択として、サービスリクエストメッセージが、インターネットマルチメディアサブシステムエンティティから受信されることを含み得る。
【０１０８】
実施例２５において、実施例２０〜２４のいずれか１つに記載の主題は任意選択として、送信機が、サービス開始メッセージを選択された通信ネットワークに送信して、端末装置の通信サービスを開始するようにさらに構成されたことを含み得る。
【０１０９】
実施例２６において、実施例２０〜２５のいずれか１つに記載の主題は任意選択として、この装置が、統合データ管理エンティティ又はホーム加入者サーバとして構成されたことを含み得る。
【０１１０】
実施例２７において、実施例２０〜２６のいずれか１つに記載の主題は任意選択として、ネットワーク決定エンティティが、パケットデータネットワークゲートウェイ・コアネットワークエンティティ又はセッション管理機能エンティティを含むことを含み得る。
【０１１１】
実施例２８において、実施例２０〜２７のいずれか１つに記載の主題は任意選択として、端末装置を識別する一意の識別子が、端末装置のインターネットプロトコルアドレスであることを含み得る。
【０１１２】
実施例２９において、実施例２０〜２８のいずれか１つに記載の主題は任意選択として、通信サービスが、ボイスオーバーインターネットプロトコル通信サービスを含むことを含み得る。
【０１１３】
実施例３０は、通信サービスを端末通信装置に提供する通信ネットワークを決定する装置である。この装置は、リクエストメッセージを受信して、端末装置との接続セッションを有する通信ネットワークを決定するように構成された受信機であり、リクエストメッセージが端末装置を識別する一意の識別子を含む、受信機と、受信した一意の識別子を用いることにより、端末装置が接続セッションを有する複数の通信ネットワークのうちの少なくとも１つの通信ネットワークを決定するように構成されたプロセッサと、端末装置が接続セッションを有する上記決定した少なくとも１つの通信ネットワークの指定を含む指定メッセージを送信して通信サービスを選択するように構成された送信機と、を備えていてもよい。
【０１１４】
実施例３１において、実施例３０に記載の主題は任意選択として、送信機が、端末装置が第１の通信ネットワークにおいて接続セッションを有するかを要求する第１の決定リクエストメッセージを複数の通信ネットワークのうちの第１の通信ネットワークのコアネットワークエンティティに送信するようにさらに構成されており、第１の決定リクエストメッセージが、端末装置の一意の識別子を含み、送信機が、端末装置が第２の通信ネットワークにおいて接続セッションを有するかを要求する第２の決定リクエストメッセージを複数の通信ネットワークのうちの第２の通信ネットワークのコアネットワークエンティティに送信するようにさらに構成されており、第２の決定リクエストメッセージが、端末装置の一意の識別子を含むことを含み得る。
【０１１５】
実施例３２において、実施例３１に記載の主題は任意選択として、受信機が、端末装置が第１の通信ネットワークにおいて接続セッションを有するかを示す第１の決定応答メッセージを第１の通信ネットワークのコアネットワークエンティティから受信するようにさらに構成されており、受信機が、端末装置が第２の通信ネットワークにおいて接続セッションを有するかを示す第２の決定応答メッセージを第２の通信ネットワークのコアネットワークエンティティから受信するようにさらに構成されたことを含み得る。
【０１１６】
実施例３３において、実施例３０〜３２のいずれか１つに記載の主題は任意選択として、この装置が、モバイル通信コアネットワークの構成要素として構成されたことを含み得る。
【０１１７】
実施例３４において、実施例３０〜３３のいずれか１つに記載の主題は任意選択として、複数の通信ネットワークのうちの少なくとも１つの通信ネットワークが、ロングタームエボリューション無線通信技術に従って構成され、複数の通信ネットワークのうちの少なくとも１つの他の通信ネットワークが、５Ｇ無線通信技術に従って構成されたことを含み得る。
【０１１８】
実施例３５において、実施例３０〜３４のいずれか１つに記載の主題は任意選択として、接続セッションが、インターネットマルチメディアサブシステムパケットデータネットワーク接続であることを含み得る。
【０１１９】
実施例３６において、実施例３０〜３５のいずれか１つに記載の主題は任意選択として、この装置が、パケットデータネットワークゲートウェイ・コアネットワークエンティティ又はセッション管理機能エンティティとして構成されたことを含み得る。
【０１２０】
実施例３７において、実施例３０〜３６のいずれか１つに記載の主題は任意選択として、端末装置を識別する一意の識別子が、端末装置のインターネットプロトコルアドレスであることを含み得る。
【０１２１】
実施例３８において、実施例３０〜３７のいずれか１つに記載の主題は任意選択として、通信サービスが、ボイスオーバーインターネットプロトコル通信サービスを含むことを含み得る。
【図１】
0006807952.tif 000002
【図２】
0006807952.tif 000003
【図３】
0006807952.tif 000004
【図４】
0006807952.tif 000005
【図５】
0006807952.tif 000006
【図６】
0006807952.tif 000007
【図７】
0006807952.tif 000008
【図８】
0006807952.tif 000009
【図９】
0006807952.tif 000010
【図１０】
0006807952.tif 000011
【図１１】
0006807952.tif 000012